(57)【要約】【課題】電子機器筐体開口部と蓋体とのズレを吸収し、電子機器に対し好適に挿入できるカードトレイ及びそれを使用したカードコネクタの提供。【解決手段】蓋部材６に突設された雄連結部７と、トレイ本体５に配置された雌連結部８とからなる連結手段を備え、雌連結部８には、貫通部の周囲に配置され、雄側係合部７１が係合する抜け出し規制部８２と、雄側係合部７１がアンロック位置と連結位置との間で移動可能な切り換え部８３と、雄連結部７のアンロック位置側への移動を規制する切り換え規制部材８４とを備え、トレイ本体５と蓋体６とをアンロック位置で組み合わせ、トレイ本体５と蓋体６との相対移動により雄側係合部の位置を連結位置に切り替え、その状態で切り換え規制部材が取り付けられるようにしている。【選択図】図７
2018125244.tif 000002
【特許請求の範囲】
【請求項１】
カードを収容するトレイ本体の端部に電子機器筐体の開口部に嵌まり込む蓋体を着脱可能に備えたカードトレイであって、
前記トレイ本体又は前記蓋部材の何れか一方の連結側端面に突設された雄連結部と、前記トレイ本体又は前記蓋部材の何れか他方に配置され、前記雄連結部と互いに連結される雌連結部とからなる連結手段を備え、
前記雄連結部は、前記何れか一方の連結側端面より突出した連結基部と、該連結基部の外周より外向きに張り出した雄側係合部とを備え、
前記雌連結部には、前記連結基部が貫通される貫通部と、
該貫通部の周囲に配置され、前記雄側係合部が係合する抜け出し規制部と、
前記雄係合部が雌連結部より離脱可能なアンロック位置と前記抜け出し規制部と係合する連結位置との間で移動可能な切り換え部と、
該切り換え部内に前記雄連結部と所定の隙間を設けて組み込まれ、前記雄連結部のアンロック位置側への移動を規制する切り換え規制部材とを備え、
前記トレイ本体と前記蓋体とを前記アンロック位置で組み合わせ、前記トレイ本体と前記蓋体との相対移動により前記雄側係合部の位置を前記連結位置に切り替え、その状態で前記切り換え規制部材が取り付けられるようにしていることを特徴としたカードトレイ。
【請求項２】
前記雌連結部には、連結側端面側に開口し、前記雄側係合部が挿通可能な係合部挿通部を備え、該係合部挿通部に雄側係合部の位置を合わせた状態で、前記トレイ本体と前記蓋体とが互いに着脱できるようにした請求項１に記載のカードトレイ。
【請求項３】
前記雌連結部には、前記貫通部と連通し、前記連結基部をスライド移動可能に案内するスライド案内部を備えている請求項１又は２に記載のカードトレイ。
【請求項４】
前記トレイ本体又は前記蓋体の何れか一方の連結側端面周縁部に突設され、前記トレイ本体又は前記蓋体の何れか他方の連結側端面周縁部に形成された逆移動規制凹部と係合する逆移動規制凸部を備え、前記切り換え規制部材とは逆方向の前記トレイ本体と前記蓋体との相対移動を規制するようにした請求項１〜３の何れか１に記載のカードトレイ。
【請求項５】
前記蓋体には、その外周に前記切り換え規制部材と同一の素材からなる弾性部材を備えている請求項１〜４の何れか１に記載のカードトレイ。
【請求項６】
請求項１〜５の何れか１に記載のカードトレイを使用したトレイ式カードコネクタにおいて、
前記カードトレイが挿入されるトレイ挿入部を有するハウジングと、前記トレイ挿入部内に突出するように前記ハウジングに配設されたコンタクトとを備えてなるトレイ式カードコネクタ。
【発明の詳細な説明】
【技術分野】
【０００１】
本発明は、主にＩＣカードやフラッシュメモリーカード等のカードと電子機器との接続に使用するカードトレイ及びそれを使用したカードコネクタに関する。
【背景技術】
【０００２】
従来、ＩＣカードやフラッシュメモリーカード等のカードと携帯端末等の電子機器との接続には、トレイ式のカードコネクタが広く使用されている。
【０００３】
このトレイ式カードコネクタは、カードを収容するカードトレイと、カードトレイが挿入されるトレイ挿入部が前面に開口したハウジングと、接点部がトレイ挿入部内に突出するようにハウジングに配設されたコンタクトとを備え、カードを収容したカードトレイをトレイ挿入部に挿入することによって、カードの接続パッドがコンタクトと接続し、コンタクトを介して電子機器とカードとを接続するようになっている。
【０００４】
また、この種のカードトレイには、トレイ挿入部に挿入される平板状のトレイ本体と、トレイ本体の前面側に配置された蓋体とを一体に備え、電子機器内部に実装されたハウジングに電子機器筐体の開口部を通してトレイ本体を挿入することにより、蓋体が電子機器筐体の開口部に嵌まり込み、電子機器筐体開口部を閉鎖するようにしたものが知られている。
【０００５】
しかしながら、この種のトレイ式カードコネクタでは、電子機器筐体に対する基板及び基板を介して実装されるハウジングの取付公差等に起因して電子機器筐体開口部と蓋体との位置にズレが生じるおそれがあった。
【０００６】
そこで、従来では、カードトレイをトレイ本体と蓋体とにより構成し、当該トレイ本体と蓋体とを弾性部材を介して連結することにより電子機器筐体開口部と蓋体とのズレを吸収し、開口部に対し好適に蓋体が嵌まり込むようにしたカードコネクタが開発されている（例えば、特許文献１を参照）。
【０００７】
また、カードトレイには、トレイ本体と蓋体とを備え、トレイ本体に対し蓋体が引き出し可能に連結され、カードトレイを引き出す際の取っ手に蓋体を使用するようにしたものも知られている（例えば、特許文献２を参照）。
【先行技術文献】
【特許文献】
【０００８】
【特許文献１】特開２０１６−０８１８０８号公報
【特許文献２】特開２０１３-１７８８８７号公報
【発明の概要】
【発明が解決しようとする課題】
【０００９】
しかしながら、上述の引用文献１の如き従来技術では、トレイ本体と蓋体とが弾性部材を介して連結されているため、トレイ本体と蓋体との位置にずれが生じると弾性部材が弾性変形し、それに伴う反力が作用するため、当該反力が開口部を通して筐体内に挿入する際の抵抗となり、作業性が低下するという問題があった。
【００１０】
また、上述の引用文献２の如き従来技術は、トレイ本体に対し蓋体が前後方向で移動可能であるが、取付公差等に起因する電子機器筐体開口部と蓋体との位置ズレを吸収可能な方向への移動に関して特に追究しているものではない。
【００１１】
そこで、本発明は、このような従来の問題に鑑み、電子機器筐体開口部と蓋体とのズレを吸収し、電子機器に対し好適に挿入できるカードトレイ及びそれを使用したカードコネクタの提供を目的としてなされたものである。
【課題を解決するための手段】
【００１２】
上述の如き従来の問題を解決するための請求項1に記載の発明の特徴は、カードを収容するトレイ本体の端部に電子機器筐体の開口部に嵌まり込む蓋体を着脱可能に備えたカードトレイであって、前記トレイ本体又は前記蓋部材の何れか一方の連結側端面に突設された雄連結部と、前記トレイ本体又は前記蓋部材の何れか他方に配置され、前記雄連結部と互いに連結される雌連結部とからなる連結手段を備え、前記雄連結部は、前記何れか一方の連結側端面より突出した連結基部と、該連結基部の外周より外向きに張り出した雄側係合部とを備え、前記雌連結部には、前記連結基部が貫通される貫通部と、該貫通部の周囲に配置され、前記雄側係合部が係合する抜け出し規制部と、前記雄係合部が雌連結部より離脱可能なアンロック位置と前記抜け出し規制部と係合する連結位置との間で移動可能な切り換え部と、該切り換え部内に前記雄連結部と所定の隙間を設けて組み込まれ、前記雄連結部のアンロック位置側への移動を規制する切り換え規制部材とを備え、前記トレイ本体と前記蓋体とを前記アンロック位置で組み合わせ、前記トレイ本体と前記蓋体との相対移動により前記雄側係合部の位置を前記連結位置に切り替え、その状態で前記切り換え規制部材が取り付けられるようにしているカードトレイにある。
【００１３】
請求項２に記載の発明の特徴は、請求項１の構成に加え、前記雌連結部には、連結側端面側に開口し、前記雄側係合部が挿通可能な係合部挿通部を備え、該係合部挿通部に雄側係合部の位置を合わせた状態で、前記トレイ本体と前記蓋体とが互いに着脱できるようにしたことにある。
【００１４】
請求項３に記載の発明の特徴は、請求項１又は２の構成に加え、前記雌連結部には、前記貫通部と連通し、前記連結基部をスライド移動可能に案内するスライド案内部を備えていることにある。
【００１５】
請求項４に記載の発明の特徴は、請求項１〜３の何れか１の構成に加え、前記トレイ本体又は前記蓋体の何れか一方の連結側端面周縁部に突設され、前記トレイ本体又は前記蓋体の何れか他方の連結側端面周縁部に形成された逆移動規制凹部と係合する逆移動規制凸部を備え、前記切り換え規制部材とは逆方向の前記トレイ本体と前記蓋体との相対移動を規制するようにしたことにある。
【００１６】
請求項５に記載の発明の特徴は、請求項１〜４の何れか１の構成に加え、前記蓋体には、その外周に前記切り換え規制部材と同一の素材からなる弾性部材を備えていることにある。
【００１７】
請求項６に記載の発明の特徴は、請求項１〜５に記載のカードトレイを使用したトレイ式カードコネクタにおいて、前記カードトレイが挿入されるトレイ挿入部を有するハウジングと、前記トレイ挿入部内に突出するように前記ハウジングに配設されたコンタクトとを備えてなることにある。
【発明の効果】
【００１８】
本発明に係るカードトレイは、請求項１に記載の構成を具備することにより、貫通部内面と連結基部との間、切り換え部及び切り換え規制部材と雄側係合部との間にそれぞれ隙間が設けられ、その隙間によってトレイ本体に対して蓋体が微小に移動可能な状態で取り付けられる。また、このカードトレイは、切り換え部に切り換え規制部材を組み込んだことにより、雄側係合部がアンロック位置に移動できなくなり、トレイ本体と蓋体との連結状態が維持されるようになっている。よって、このカードトレイ及びそれを使用したカードコネクタを使用した電子機器のカード取付構造では、電子機器筐体に対する基板及び基板を介して実装されるハウジングの取付公差等に起因して電子機器筐体開口部と蓋体との位置にズレが生じた場合であっても、トレイ本体と蓋体とが相対移動することによって、当該ズレを吸収し、蓋体が筐体開口部内に嵌合される。
【００１９】
また、本発明において、請求項２に記載の構成を具備することにより、トレイ本体に蓋体を連結する際の所定の動作において前後方向での雄連結部の挿抜を容易にすることができる。
【００２０】
さらに、本発明において、請求項３に記載の構成を具備することにより、トレイ本体に蓋体を連結する際の所定の動作においてスライド移動を可能にすることができる。
【００２１】
また、本発明において、請求項４に記載の構成を具備することにより、トレイ本体に対する蓋体の不要な動作を抑制することができる。
【００２２】
さらに、本発明において、請求項５に記載の構成を具備することにより、トレイ本体と蓋体とを組み合わせた状態においても弾性部材と切り換え規制部材とを一度の工程で形成することが可能になり、弾性部材をＯリングなどの後付け部品で形成する場合に比べて効率的に形成することができ、その分、コストダウンが可能となる。
【００２３】
また、本発明において、請求項６に記載の構成を具備することにより、ハウジングの取付け公差等に伴うズレの影響を抑えることができる。
【図面の簡単な説明】
【００２４】
【図１】本発明に係るトレイ式カードコネクタの一例を示す分解斜視図である。
【図２】第１態様のカードトレイを示す斜視図であって、（ａ）は上面側から見た図、（ｂ）は同下側から見た図である。
【図３】（ａ）は同上の蓋体を示す正面図、（ｂ）は同平面図、（ｃ）は同側面図、（ｄ）は同背面図である。
【図４】（ａ）は同上のトレイ本体を示す正面図、（ｂ）は同平面図、（ｃ）は同側面図、（ｄ）は同背面図である。
【図５】同上のカードトレイの組み立て工程を示す斜視図である。
【図６】同上の連結部の状態を説明するための端面図である。
【図７】同上のカードコネクタの作用を説明するための図であって、（ａ）はずれが生じていない状態、（ｂ）はずれが生じている状態を示す部分拡大断面図である。
【図８】第２態様のカードトレイを示す斜視図であって、（ａ）は上面側から見た図、（ｂ）は同下側から見た図である。
【図９】（ａ）は同上の蓋体を示す正面図、（ｂ）は同平面図、（ｃ）は同側面図、（ｄ）は同背面図である。
【図１０】（ａ）は同上のトレイ本体を示す正面図、（ｂ）は同平面図、（ｃ）は同側面図、（ｄ）は同背面図である。
【図１１】同上のカードトレイの組み立て工程を示す斜視図である。
【図１２】同上の連結部の状態を説明するための端面図である。
【図１３】第３態様のカードトレイを示す斜視図であって、（ａ）は上面側から見た図、（ｂ）は同下側から見た図である。
【図１４】（ａ）は同上のトレイ本体を示す正面図、（ｂ）は同平面図、（ｃ）は同側面図、（ｄ）は同背面図である。
【図１５】同上のカードトレイの組み立て工程を示す斜視図である。
【図１６】同上の連結部の状態を説明するための端面図である。
【図１７】第４態様のカードトレイを示す斜視図であって、（ａ）は上面側から見た図、（ｂ）は同下側から見た図である。
【図１８】（ａ）は同上の蓋体を示す正面図、（ｂ）は同平面図、（ｃ）は同側面図、（ｄ）は同背面図である。
【図１９】（ａ）は同上のトレイ本体を示す正面図、（ｂ）は同平面図、（ｃ）は同側面図、（ｄ）は同背面図である。
【図２０】同上のカードトレイの組み立て工程を示す斜視図である。
【図２１】同上のカードトレイの組み立て工程の続きを示す斜視図である。
【図２２】同上の連結部の状態を説明するための端面図である。
【発明を実施するための形態】
【００２５】
次に、本発明に係るカードトレイ及びそれを使用したカードコネクタの実施態様を図１〜図２２に示した実施例に基づいて説明する。尚、図中符号はトレイ式カードコネクタ１（以下、カードコネクタ１という）、符号は電子機器筐体２である。
【００２６】
尚、本実施例においては、カードトレイ３１のカードコネクタ１に対する挿抜方向を基準に説明し、挿入方向先側を後、手前側を前とし、カードトレイ３１のカード収容側を上とする。
【００２７】
このカードコネクタ１は、カードを収容するカードトレイ３１と、カードトレイ３１が挿入されるトレイ挿入部４１が前面に開口したハウジング４と、接点部がトレイ挿入部４１内に突出するようにハウジング４に配設されたコンタクト（図示せず）とを備え、カードを収容したカードトレイ３１をトレイ挿入部４１に挿入することによって、カードの接続パッドがコンタクトと接続するようになっている。
【００２８】
カードトレイ３１は、カードを収容するトレイ本体５と、トレイ本体５の前端部に連結された蓋体６とを備え、トレイ本体５と蓋体６とが連結手段により着脱可能に連結されている。
【００２９】
連結手段は、蓋体６の連結側端面に突設された雄連結部７と、トレイ本体５に配置され、雄連結部７と互いに連結される雌連結部８とにより構成され、雄連結部７と雌連結部８とを所定の動作で連結することによって、トレイ本体５に対し蓋体６が微小に移動可能な状態で取り付けられるようになっている。
【００３０】
蓋体６は、筐体開口部２１の形状に整合させて形成され、正面視角丸長方形状であってトレイ挿抜方向に一定の厚みを有する角丸直方体状を成し、その連結側端面に雄連結部７が一体に突設されている。
【００３１】
また、蓋体６には、外周に環状の弾性部材６１を備えている。この弾性部材６１は、後述する抜け出し規制部材８４と同一の素材、例えば、弾性に富む合成樹脂材をもって形成され、トレイ本体５と蓋体６とを組み合わせた状態においても弾性部材６１と切り換え規制部材８４とを一度の工程で形成することができるようになっている。
【００３２】
雄連結部７は、図３に示すように、蓋体６の連結側端面６２より突出した丸棒状の連結基部７１の頭部に直方体状の係合部材７２が一体に支持され、側面視横向きＴ字状を成しており、係合部材７２の両端が連結基部７１の外周より外向きに張り出した雄側係合部７２１，７２１を成している。
【００３３】
連結基部７１は、丸棒状に形成され、回転軸としても機能するようになっている。
【００３４】
また、蓋体６には、その連結側端面６２の周縁部に突設された逆移動規制凸部６３を備え、この逆移動規制凸部６３がトレイ本体５の連結側端面周縁部に形成された逆移動規制凹部５１と係合することにより、トレイ本体５と蓋体６との相対移動を規制するようになっている。
【００３５】
尚、逆移動規制凸部６３と逆移動規制凹部５１との間には、クリアランスが設けられており、トレイ本体５と蓋体６との微小移動を許容できるようになっている。
【００３６】
トレイ本体５は、表面側に開口したカード収容凹部５２１，５２２を有するカード収容体５２と、カード収容体５２の前端部に一体に支持された雌連結部８とを備え、各カード収容凹部５２１，５２２に表面側よりカードがそれぞれ収容されるようになっている。
【００３７】
雌連結部８は、連結基部７１が貫通される貫通部８１１と、貫通部８１１の周囲に配置され、雄側係合部７２１，７２１が係合する抜け出し規制部８２と、雄側係合部７２１，７２１が雌連結部８より離脱可能なアンロック位置と抜け出し規制部８２と係合する連結位置との間で移動可能な切り換え部８３と、切り換え部８３内に雄側係合部７２１と所定の隙間を設けて組み込まれ、雄側係合部７２１のアンロック位置側への移動を規制する切り換え規制部材８４とを備え、所定の動作で雄連結部７と係合するようになっている。
【００３８】
雌連結部８には、連結側端面に開口した挿通孔８１を備え、この挿通孔８１の奥側（後方）に切り換え部８３が配置され、挿通孔８１の切り換え部８３側縁部に抜け出し規制部８２が形成されている。
【００３９】
挿通孔８１は、上下幅が連結基部７１の外径よりやや大きく、且つ、横幅が係合部材７２の長手方向長さと略同じ幅の横長矩形孔状に形成され、連結基部７１が貫通される貫通部８１１と雄側係合部７２１，７２１が前後方向に挿通可能な係合部挿通部が一体に形成されている。
【００４０】
係合部挿通部は、雌連結部８の連結側端面側に開口し、雄側係合部が前後方向で挿通可能であって、雄側係合部が切り換え部８３まで挿し込めるようになっている。
【００４１】
また、挿通孔８１は、貫通部８１１と連通し、連結基部７１をスライド移動可能に案内するスライド案内部を兼ね、連結基部７１を挿通孔８１の一端側、即ち貫通部８１１に片寄せることができるようになっている。
【００４２】
切り換え部８３は、挿通孔８１と前後方向で連続し、且つ、上下に開口した矩形穴状に形成され、挿通孔８１に支持された連結基部７１を基軸とした雄側係合部７２１，７２１（係合部材７２）の回転を許容できるようになっている。
【００４３】
切り換え規制部材８４は、合成樹脂材等によって形成され、切り換え部８３内に嵌合される規制部材本体８４１と、規制部材本体８４１を支持する支持体８４２とを備え、支持体８４２が雌連結部８の上面から側面にかけて形成され、切り換え部８３と連通した溝８４３に嵌合されている。
【００４４】
規制部材本体８４１は、切り換え部８３のトレイ幅方向長さより短く、且つ、雌連結部８と係合した際の雄側係合部７２１と所定の隙間を設けて組み込まれるような長さの直方体状に形成され、雄側係合部７２１のアンロック位置側への移動を規制するようになっている。
【００４５】
このカードトレイ３１の組み立ては、先ず、図５（ａ）及び図６（ａ）に示すように、トレイ本体５に対し蓋体６を略直角方向に回転させ、係合部挿通部に雄側係合部７２１，７２１の位置を合わせた状態、即ち、挿通孔８１と係合部材７２の位置を合わせた状態とし、雌連結部８に雄連結部７を挿入する。
【００４６】
その際、雄側係合部７２１，７２１は、抜け出し規制部８２と未だ係合しておらず、雌連結部８より離脱可能なアンロック位置にあり、トレイ本体５と蓋体６とは、互いに組み合わせ又は離脱が可能になっている。
【００４７】
次に、図５（ｂ）（ｃ）及び図６（ａ）（ｂ）に示すように、挿通孔８１に支持された連結基部７１を基軸としてトレイ本体５に対し蓋体６を所定の方向（本実施例では図中時計回り）に回転させ、雄側係合部７２１，７２１を切り換え部８３内で回転移動させるとともに、トレイ本体５に対し蓋体６を横方向にスライドさせ、連結基部７１を、挿通孔８１の一端側、即ち、貫通部８１１に片寄せ、トレイ本体５と蓋体６との相対移動により雄側係合部７２１，７２１の位置を連結位置に切り替える。
【００４８】
連結位置においては、雄側係合部７２１，７２１が抜け出し規制部８２と係合し、トレイ本体５に対する蓋体６の離脱方向の移動が規制される。
【００４９】
その際、蓋体６の逆回転規制凸部６３がトレイ本体５の逆回転規制凹部５１内に嵌まり込み、組み込まれた状態から時計回りに回転することを規制する。
【００５０】
そして、図５（ｃ）及び図６（ｃ）に示すように、切り換え部８３には、切り換え規制部材８４を雄側係合部７２１と所定の隙間を設けて嵌め込み、切り換え部８３内の雄側係合部より空隙側を埋め、雄側係合部７２１，７２１のアンロック位置側への移動を規制する。
【００５１】
尚、切り換え規制部材８４は、トレイ本体５と蓋体６とを組み合わせ、連結位置に切り替えた後に、インサート成形によって所定の位置に組み込むようにすることもできる。その際、弾性部材６１を同一の工程で形成することにより、それぞれの部品を別々に成形する場合に比べて工程を削減でき、その分、コストダウンを図ることができる。
【００５２】
このように組み立てられたカードトレイ３１は、貫通部（挿通孔８１）内面と連結基部７１との間、切り換え部８３及び切り換え規制部材８４と雄側係合部との間にそれぞれ隙間が設けられ、その隙間によってトレイ本体５に対して蓋体６が微小に移動可能な状態で取り付けられる。
【００５３】
また、このカードトレイ３１は、切り換え部８３に切り換え規制部材８４を組み込んだことにより、雄側係合部７２１，７２１がアンロック位置に移動できなくなり、トレイ本体５と蓋体６との連結状態が維持されるようになっている。
【００５４】
よって、このカードトレイ３１及びカードコネクタ１を使用した電子機器のカード取付構造では、図７に示すように、電子機器筐体２に対する基板及び基板を介して実装されるハウジング４の取付公差等に起因して電子機器筐体２開口部２１と蓋体６との位置にズレが生じた場合であっても、トレイ本体５と蓋体６とが相対移動することによって、当該ズレを吸収し、蓋体６が筐体開口部２１内に嵌合される。
【００５５】
その際、トレイ本体５と蓋体６とが上述の如き連結手段によって連結されているので、トレイ本体５と蓋体６とが相対移動しても反力が生じず、筐体開口部２１及びハウジング４に対するカードトレイ３１の挿抜作業を効率的に行うことができる。
【００５６】
尚、連結手段の態様は、上述の実施例に限定されず、例えば、図８〜１２に示す第２態様（以下、第２のカードトレイ３２という）、図１３〜１６に示す第３態様（以下、第３のカードトレイ３３という）及び図１７〜２２に示す第４態様（以下、第４のカードトレイ３４という）のようにしてもよい。尚、上述の実施例と同様の構成についは同一符号を付して説明を省略する。
【００５７】
第２のカードトレイ３２の雄連結部７は、図９に示すように、連結基部７１の頭部にＬ字状の係合部材７３が一体に支持され、トレイ厚み方向上側に張り出した縦雄側係合部７３１と、トレイ幅方向の一方に張り出した横雄側係合部７３２とを備えている。
【００５８】
一方、第２のカードトレイ３２の雌連結部８は、矩形穴状の貫通部９１１と、貫通部９１１と連通し、連結基部７１をスライド移動可能に案内するスライド案内部９１２と、貫通部９１１及びスライド案内部９１２の後方に配置された切り換え部９４とを備えている。
【００５９】
スライド案内部９１２は、雌連結部８の上面に開口した溝状に形成され、その下端側部と貫通部９１１が連通し、連結基部７１がＬ字方向にスライド移動できるようになっている。
【００６０】
切り換え部９４は、上面が開口した上面開放部９２１と、上面開放部９２１のトレイ幅方向の一方に配置された嵌合穴部９２２とを備えている。
【００６１】
この第２のカードトレイ３２は、図に示すように、連結基部７１をスライド案内部９１２の位置に合わせ、連結基部７１をスライド案内部９１２に案内させた状態でトレイ本体５に対し蓋体６を上下方向に相対移動させ、両縦横両雄側係合部が雌連結部８の上方より切り換え部９４の上面開放部９２１に挿入させる。
【００６２】
このとき、雄側係合部は、抜け出し規制部８２と未だ係合しておらず、雌連結部８より離脱可能なアンロック位置にあり、トレイ本体５と蓋体６とは、互いに組み合わせ又は離脱が可能になっている。
【００６３】
次に、トレイ本体５に対し蓋体６をトレイ幅方向でスライド移動させ、連結基部７１をスライド案内部９１２の下端より貫通部９１１側に移動させ、縦横雄側係合部７３１，７３２を連結位置に移動させる。
【００６４】
それに伴い、縦雄側係合部７３１は、貫通部９１１の奥側に移動し、貫通部９１１の奥側縁、即ち、抜け出し規制部８２と係合し、横雄側係合部７３２は、嵌合穴部９２２内に挿し込まれ、その前後面及び上下面が嵌合穴部９２２の内面、即ち、抜け出し規制部と係合する。
【００６５】
そして、その状態で切り換え規制部材８４を上面開放部９２１に嵌め込むことにより、雄連結部７のアンロック位置側への移動が規制され、トレイ本体５と蓋体６との連結状態が維持される。
【００６６】
第３のカードトレイ３３の雄連結部７は、図９に示す第２のカードトレイ３２と同様に、連結基部７１の頭部にＬ字状の係合部材７３が一体に支持され、トレイ厚み方向上側に張り出した縦雄側係合部７３１と、トレイ幅方向の一方に張り出した横雄側係合部７３２とを備えている。
【００６７】
一方、第３のカードトレイ３３の雌連結部８は、雌連結部８端面に開口した逆Ｌ字状の挿通孔９３と、挿通孔９３の後方に配置された切り換え部９４とを備えている。
挿通孔９３は、係合部挿通部を兼ねる横穴状の貫通部９３１と、雌連結部８の下面に開口した係合部挿通部９３２とが一体を成し、雄連結部７を前後方向で挿抜することができ、雄側係合部７３１，７３２が奥側の切り換え部９４まで挿し込めるようになっている。
【００６８】
また、貫通部９３１は、連結基部７１をスライド移動可能に案内するスライド案内部を兼ね、連結基部７１を貫通部９３１の一端側に片寄せることができるようになっている。
【００６９】
切り換え部９４は、挿通孔９３と前後方向で連続し、且つ、上下に開口した矩形穴状の回転用空隙９４１と、回転用空隙９４１の側方と連通した嵌合穴９４２とを備えている。
【００７０】
この第３のカードトレイ３３の組み立ては、図１５（ａ）（ｂ）に示すように、トレイ本体５に対し蓋体６を直角方向に回転させた配置とし、縦雄側係合部７３１及び横雄側係合部７３２をＬ字型の挿通孔９３、即ち、係合部挿通部の位置に合わせ、挿通孔９３を通して雄側係合部を切り換え部９４の回転用空隙部９４１まで挿し込む。
【００７１】
このとき、雄側係合部７３１，７３２は、抜け出し規制部と未だ係合しておらず、雌連結部８より離脱可能なアンロック位置にあり、トレイ本体５と蓋体６とは、互いに組み合わせ又は離脱が可能になっている。
【００７２】
次に、図１５（ｂ）（ｃ）及び図６（ｂ）に示すように、トレイ本体５に対し蓋体６を、連結基部７１を基軸として９０度回転させ、縦雄側係合部７３１，７３２を貫通部９３１の奥側上縁に係合させる。
【００７３】
さらに、図１５（ｄ）及び図１６（ｃ）に示すように、その状態からトレイ本体５に対し蓋体６をトレイ幅方向でスライド移動させ、連結基部７１を貫通部９３１の一端側に片寄せ、縦横雄側係合部７３２を連結位置に移動させる。
【００７４】
それに伴い、横雄側係合部７３２は、嵌合穴９４２内に挿し込まれ、その前後面及び上下面が嵌合穴内面、即ち、抜け出し規制部と係合する。
【００７５】
そして、その状態で切り換え規制部材８４を上面開口側より切り換え部９４（回転用空隙９４１）に嵌め込むことにより、雄連結部７のアンロック位置側への移動が規制され、トレイ本体５と蓋体６との連結状態が維持される。
【００７６】
第４のカードトレイ３４の雄連結部７は、連結基部７１の頭部に横向きＴ字状の係合部材７５が一体に支持され、上下及びトレイ幅方向の一方にそれぞれ縦雄側係合部７４１，７４１及び横雄側係合部７４２が張り出している。
【００７７】
第４のカードトレイ３４の雌連結部８は、Ｔ字状の係合部材７５と整合させた挿通孔９５と、挿通孔９５の後方に配置された切り換え部９６とを備えている。
【００７８】
挿通孔９５は、角孔状の貫通部９５１と、貫通部９５１の上下に連続した係合部挿通部９５２，９５２と、貫通部９５１のトレイ幅方向の一方側に連続したスライド案内部を兼ねる横穴状の係合部挿通部９５３とが一体に横向きＴ字状を成し、雄側係合部７４１，７４２が前後方向で挿通可能であって、係合部材７４が奥側の切り換え部９６まで挿し込めるようになっている。
【００７９】
切り換え部９６は、挿通孔９５と前後方向で連続し、且つ、雌連結部８の下面に開口した矩形穴状の回転用空隙９６１と、スライド案内部を兼ねる係合部挿通部９５３と反対側に配置され、回転用空隙９６１の側方と連通した嵌合穴９６２とを備えている。
【００８０】
この第４のカードトレイ３４の組み立ては、図２０（ａ）及び図２２（ａ）に示すように、雄側係合部７４１，７４２の位置を係合部挿通部９５２，９５３の位置に合わせ、挿通孔９５を通して係合部材７４を切り換え部９６の回転用空隙９６１部まで挿し込む。
【００８１】
このとき、雄側係合部７４１，７４２は、抜け出し規制部と未だ係合しておらず、雌連結部８より離脱可能なアンロック位置にあり、トレイ本体５と蓋体６とは、互いに組み合わせ又は離脱が可能になっている。
【００８２】
次に、図２０（ｂ）（ｃ）及び図２２（ｂ）に示すように、トレイ本体５に対し蓋体６を、連結基部７１を基軸として９０度回転させ、さらに、図２１（ｄ）及び図２２（ｃ）に示すように、その状態からトレイ本体５に対し蓋体６をトレイ幅方向でスライド移動させ、連結基部７１を、スライド案内部を兼ねる係合部挿通部９５３に一端退避させる。
【００８３】
そして、図２１（ｅ）及び図２２（ｄ）に示すように、更にトレイ本体５に対し蓋体６を、連結基部７１を基軸として同じ方向（反時計回り）に９０度回転させ、横雄側係合部７４２を回転用空隙９６１部内に収容する。
【００８４】
この状態から、図２１（ｆ）及び図２２（ｅ）に示すように、トレイ本体５に対し蓋体６をトレイ幅方向でスライド移動させ、連結基部７１を貫通部９５１まで移動させ、縦横雄側係合部７４２を連結位置に移動させる。
【００８５】
それに伴い、横雄側係合部７４２は、嵌合穴９６２内に挿し込まれ、その前後面及び上下面が嵌合穴９６２内面、即ち、抜け出し規制部と係合する。
【００８６】
そして、その状態で切り換え規制部材８４を上面が開口した切り換え部９６に嵌め込むことにより、雄連結部７のアンロック位置側への移動が規制され、トレイ本体５と蓋体６との連結状態が維持される。
【００８７】
尚、上述の実施例では、雄連結部７を蓋体６に、雌連結部８をトレイ本体５に設けた例を説明したが、雄連結部７をトレイ本体５に、雌連結部８を蓋体６に設けてもよい。
【符号の説明】
【００８８】
１  カードコネクタ
２  電子機器筐体
３  カードトレイ
４  ハウジング
４１  トレイ挿入部
５  トレイ本体
５１  逆移動規制凹部
５２  カード収容体
６  蓋体
６１  弾性部材
６２  連結側端面
６３  逆移動規制凸部
７  雄連結部
７１  連結基部
７２  係合部材
７２１  雄側係合部
７３  係合部材（Ｌ字型）
７３１  縦雄側係合部
７３２  横雄側係合部
７４  係合部材（Ｔ字型）
７４１  縦雄側係合部
７４２  横雄側係合部
８  雌連結部
８１  挿通孔
８２  抜け出し規制部
８３  切り換え部
８４  切り換え規制部材
８４１  規制部材本体
８４２  支持体
８４３  溝
８５  連結側端面
９１１  貫通部
９１２  スライド案内部
９２  切り換え部
９２１  上面開放部
９２２  嵌合穴部
９３  挿通孔
９４  切り換え部
９５  挿通孔
９５１  貫通部
９５２，９５３  係合部挿通部
９６  切り換え部
【図１】
2018125244.tif 000003
【図２】
2018125244.tif 000004
【図３】
2018125244.tif 000005
【図４】
2018125244.tif 000006
【図５】
2018125244.tif 000007
【図６】
2018125244.tif 000008
【図７】
2018125244.tif 000009
【図８】
2018125244.tif 000010
【図９】
2018125244.tif 000011
【図１０】
2018125244.tif 000012
【図１１】
2018125244.tif 000013
【図１２】
2018125244.tif 000014
【図１３】
2018125244.tif 000015
【図１４】
2018125244.tif 000016
【図１５】
2018125244.tif 000017
【図１６】
2018125244.tif 000018
【図１７】
2018125244.tif 000019
【図１８】
2018125244.tif 000020
【図１９】
2018125244.tif 000021
【図２０】
2018125244.tif 000022
【図２１】
2018125244.tif 000023
【図２２】
2018125244.tif 000024